(57)【要約】【課題】  物理的な光ネットワークと電子データとしての光ネットワークとの整合性を高める。【解決手段】  光ケーブルとしてのケーブルの繋がりを管理するケーブルネットワークデータと、芯線のつながりを管理する芯線ネットワークデータを持ち、第１の芯線ネットワークデータを元データとして保持し、光監視装置の生成する現状の芯線ネットワーク情報とケーブルネットワークデータを芯線長とケーブル長を元に対応付けして第２の芯線ネットワークデータを自動生成を試み、対応付けできない箇所はケーブルネットワークにおける要調査箇所と認識し、第２の芯線ネットワークデータが自動生成できた場合は、第１の芯線ネットワークデータと第２の芯線ネットワークデータを比較し、相違箇所を芯線ネットワークにおける要調査箇所と認識する。【選択図】  図４
2006287352.tif 000002
【特許請求の範囲】
【請求項１】
光ケーブルとしてのケーブルの繋がりを管理するケーブルネットワークデータと、芯線のつながりを管理する芯線ネットワークデータと、の２種類の光ネットワークデータを管理するコンピュータを用いた光ネットワーク管理システムであって、
前記光ネットワークの情報を芯線毎に取得し、その結果に基づいて光監視結果を出力する光監視装置と、
第１の芯線ネットワークデータを元データとして保持するとともに、前記光監視結果と前記ケーブルネットワークデータとに関して前記光監視結果内の個々の芯線の長さと前記ケーブルネットワークデータ内の個々のケーブルの長さを比較して対応付けを行うことにより第２の芯線ネットワークデータを自動的に生成する光ネットワーク管理装置と
を有することを特徴とする光ネットワーク管理システム。
【請求項２】
前記光監視結果と前記ケーブルネットワークデータとに関して前記光監視結果内の個々の芯線の長さと前記ケーブルネットワークデータ内の個々のケーブルの長さを比較して対応付けを行う際に、前記光監視結果内の最初の芯線と前記ケーブルネットワーク内のケーブルを一意に対応付けられない場合には、隣接する芯線も考慮し、それらの芯線長の組み合わせと同じケーブル長の組み合わせを持つ隣接するケーブルとの対応付けを試みる処理を行うことを特徴とする請求項１に記載の光ネットワーク管理システム。
【請求項３】
前記光監視結果と前記ケーブルネットワークデータとに関して前記光監視結果内の個々の芯線の長さと前記ケーブルネットワークデータ内の個々のケーブルの長さを比較して対応付けを行う際に、前記光監視結果内の最初の芯線と前記ケーブルネットワーク内のケーブルを一意に対応付けたあとは、対応付け済の芯線の終端に接続されている芯線の長さと同じ長さのケーブルを対応付け済の最後のケーブルの終端に接続されているケーブルから探し、芯線とケーブルとの対応付けを試みる処理を行うことを特徴とする請求項１に記載の光ネットワーク管理システム。
【請求項４】
前記光監視結果と前記ケーブルネットワークデータとに関して前記光監視結果内の個々の芯線の長さと前記ケーブルネットワークデータ内の個々のケーブルの長さを比較して対応付けを行う際に、対応付けが行えない場合は、対応付けできなかった芯線の箇所をケーブルネットワーク上での要調査箇所として認識することを特徴とする請求項１に記載の光ネットワーク管理システム。
【請求項５】
前記第１の芯線ネットワークデータと自動的に生成された前記第2の芯線ネットワークデータの対応付けを行い、対応付けできなかった前記第１の芯線ネットワークデータ又は前記第2の芯線ネットワークデータを、芯線ネットワークにおける要調査箇所と認識することを特徴とする請求項１に記載の光ネットワーク管理システム。
【請求項６】
前記第２の芯線ネットワークデータと対応付けできなかった第１の芯線ネットワークデータを第１の芯線ネットワークデータのデータベースから削除することを特徴とする請求項５に記載の光ネットワーク管理システム。
【請求項７】
前記第１の芯線ネットワークデータと対応付けできなかった前記第２の芯線ネットワークデータを第1の芯線ネットワークデータのデータベース内に格納することを特徴とする請求項５に記載の光ネットワーク管理システム。
【発明の詳細な説明】
【技術分野】
【０００１】
本発明は、光ネットワーク管理システムに関する。
【背景技術】
【０００２】
最近、通信速度の高速化・大容量化の要請に伴って光ケーブル網の施設密度が高まり、その管理がきわめて重要になってきている。従来、光ケーブルを用いた光ネットワーク管理・監視システムにおける管理技術としては、例えば、以下に示す特許文献１、２に記載の技術が知られている。
【０００３】
特許文献１に記載の技術は、光ケーブルを監視することにより取得できるケーブル長に基づいてデータベース（ＤＢ）を補正する技術である。光ケーブルは、ケーブルが切断されると光の減衰などからケーブルのいずれの地点においてケーブルが切断されたかに関する情報を含む詳細な情報を取得することができる。このことを利用して、光ケーブルのネットワークの管理を行うことができる。
【０００４】
下記特許文献２に記載の技術は、光ケーブル芯線データを電子化し、光ネットワークを芯線単位で管理する技術に関する。光ケーブルは、複数の芯線で１本のケーブルを構成している。ここで、光ケーブルのつながりがネットワークを構成している。さらに、光ケーブルが構成するネットワークとは別に、光ケーブル内の芯線のつながりもネットワークを構成している。尚、情報伝達を行うための光ネットワークは、芯線のつながりとしてのネットワークであり、特許文献２に記載の技術は芯線のつながりとしてのネットワークを管理するものである。
【特許文献１】特開２００３−２３４７０８号公報
【特許文献２】特開２００３−１４１１９４号公報
【発明の開示】
【発明が解決しようとする課題】
【０００５】
ところで、芯線単位の光ネットワーク管理においては、「光ケーブルとしてのネットワーク管理（ケーブルネットワーク）」と「芯線のつながりとしての光ネットワーク管理（芯線ネットワーク）」との２種類のネットワークを管理する必要がある（図２：２３０、２４０参照）。元々、光ネットワーク管理の対象であるケーブルネットワーク及び芯線ネットワークは、電子データ化されて管理されている。
【０００６】
ケーブルネットワークは、ケーブル及び電柱、マンホール等に設置されたケーブルの接続設備の管理が重要であることから、ＧＩＳ（地理情報システム）として地図上にネットワークを作成し管理を行う。一方、芯線ネットワークは、ケーブル内には複数の芯線が存在するため、ケーブルネットワークと比べてネットワークの構成要素が多いこともあり地図上での管理を行っていないのが一般的である。
【０００７】
ところで、光ネットワークにおいては、拡張工事、障害対応、保守工事など、日々ネットワーク構成に変化が発生する。従って、光ネットワーク管理のためには、正確なケーブルネットワーク及び芯線ネットワークの電子データ管理が必要であるが、頻繁に行われる工事のために現実の物理的な光ネットワークと電子データとしての光ネットワークの情報との間には差異が発生する場合が多い。
【０００８】
従来は、物理的な光ネットワークに変化があった場合には、手入力により電子データの修正を行っていた。電子データ入力作業のうちケーブルネットワークデータの入力状況は、地図上での確認作業が行えるため比較的容易に確認できるが、芯線ネットワークデータの入力はネットワークのつながりのトレース作業となり、確認が容易ではなく、データの誤入力が発生するという問題があった。
【０００９】
本発明の目的は、物理的な光ネットワークと電子データとしての光ネットワークとの整合性を高めることを目的とする。さらに、光ネットワークの管理コストを低減することを目的とする。
【課題を解決するための手段】
【００１０】
本発明の一観点によれば、光ケーブルとしてのケーブルの繋がりを管理するケーブルネットワークデータと、芯線のつながりを管理する芯線ネットワークデータと、の２種類の光ネットワークデータを管理するコンピュータを用いた光ネットワーク管理システムであって、前記光ネットワークの情報を芯線毎に取得し、その結果に基づいて光監視結果を出力する光監視装置と、第１の芯線ネットワークデータを元データとして保持するとともに、前記光監視結果と前記ケーブルネットワークデータとに関して前記光監視結果内の個々の芯線の長さと前記ケーブルネットワークデータ内の個々のケーブルの長さを比較して対応付けを行うことにより第２の芯線ネットワークデータを自動的に生成する光ネットワーク管理装置とを有することを特徴とする光ネットワーク管理システムが提供される。
【００１１】
上記光ネットワーク管理システムにおいては、前記光監視結果と前記ケーブルネットワークデータとに関して前記光監視結果内の個々の芯線の長さと前記ケーブルネットワークデータ内の個々のケーブルの長さを比較して対応付けを行う際に、前記光監視結果内の最初の芯線と前記ケーブルネットワーク内のケーブルを一意に対応付けられない場合には、隣接する芯線も考慮し、それらの芯線長の組み合わせと同じケーブル長の組み合わせを持つ隣接するケーブルとの対応付けを試みる処理を行う。これにより、対応付けのできる可能性が高まる。
【００１２】
前記光ネットワーク管理システムは、前記光監視結果と前記ケーブルネットワークデータとに関して前記光監視結果内の個々の芯線の長さと前記ケーブルネットワークデータ内の個々のケーブルの長さを比較して対応付けを行う際に、前記光監視結果内の最初の芯線と前記ケーブルネットワーク内のケーブルを一意に対応付けたあとは、対応付け済の芯線の終端に接続されている芯線の長さと同じ長さのケーブルを対応付け済の最後のケーブルの終端に接続されているケーブルから探し、芯線とケーブルとの対応付けを試みる処理を行うことを特徴とする。光ケーブルの長さは一般的にすべて違うので、このような処理で残りの芯線とケーブルを対応付けすることで、処理を高速化することができる。
【００１３】
また、前記光ネットワーク管理システムにおいて、前記光監視結果と前記ケーブルネットワークデータとに関して前記光監視結果内の個々の芯線の長さと前記ケーブルネットワークデータ内の個々のケーブルの長さを比較して対応付けを行う際に、対応付けが行えない場合は、対応付けできなかった芯線の箇所をケーブルネットワーク上での要調査箇所として認識することができる。
【００１４】
さらに、前記光ネットワーク管理システムは、前記第１の芯線ネットワークデータと自動的に生成された前記第２の芯線ネットワークデータの対応付けを行い、対応付けできなかった前記第１の芯線ネットワークデータ又は前記第２の芯線ネットワークデータを芯線ネットワークにおける要調査箇所と認識することを特徴とする。
【００１５】
また、前記光ネットワーク管理システムは前記第２の芯線ネットワークデータと対応付けできなかった第1の芯線ネットワークデータを第１の芯線ネットワークデータのデータベースから削除することを特徴とする。前記第２の芯線ネットワークデータは現状の光ネットワーク監視結果から生成されるため、それと対応付けできない第１の芯線ネットワークデータは古いデータと推測することもできるのでこのような芯線ネットワークデータの自動補正も可能となる。
【００１６】
また、前記光ネットワーク管理システムは、前記第１の芯線ネットワークデータと対応付けできなかった前記第２の芯線ネットワークデータを第1の芯線ネットワークデータのデータベース内に格納することを特徴とする。前記第２の芯線ネットワークデータは現状の光ネットワーク監視結果から生成されるため、最新のデータと推測されこのような芯線ネットワークデータの自動更新も可能になる。
【発明の効果】
【００１７】
光ネットワークに関して、要調査箇所を迅速に認識反映することができ、ネットワークに関する管理コストの低減を図ることができるという利点がある。
【発明を実施するための最良の形態】
【００１８】
以下、本発明の一実施の形態による光ネットワーク管理システムについて、図面を参照しつつ説明を行う。
【００１９】
図１（Ａ）は、本実施の形態による光監視システムを含み、光監視システムから物理的なネットワーク情報を取得し、光ネットワーク管理システムＡへの情報を反映させる構成例を示すブロック図である。図１（Ａ）に示すように、本実施の形態によるネットワーク管理システムＡは、光ネットワーク１００と、光監視装置１１０と、光ネットワーク管理装置１２０と、を有している。
【００２０】
光ネットワーク１００と光監視装置１１０とが接続されており、光監視装置１１０光ネットワーク１００の情報を芯線毎に取得し、その結果に基づいて光監視結果ファイル１１１を出力する。
【００２１】
図１（Ｂ）は、光ネットワーク管理装置１２０の詳細な構成例を示す図である。
図１（Ｂ）に示すように、本実施の形態による光ネットワーク管理装置１２０は、処理部（ＣＰＵ）１２１と、プログラム格納部（ＲＯＭ）１２２と、記憶部１２３と、を含む本体部１２０と、ディスプレイ１２４と、キーボード・マウスなどの操作部１２５と、を有している。プログラム格納部１２２には、データ入力処理プログラム１２２０、データ編集処理プログラム１２２１、データ表示処理プログラム１２２２、光監視結果変換プログラム１２２３等のプログラムが格納されている。一方、記憶部１２３には、ケーブルネットワークデータデータベース１２３１と、芯線ネットワークデータデータベース１２３２と、一時データ格納部１２３３と、を含む各種記憶部が格納されている。
【００２２】
図２は、ケーブルネットワークデータ及び芯線ネットワークデータの例を示す図である。この例ではケーブルネットワークデータ２１０は、ケーブルネットワーク全体を識別するためのケーブルネットワークＩＤを先頭に持ち、ケーブルの接続設備が設置されている電柱・マンホール等のノード間の個々のケーブルを識別するためのケーブルＩＤ、ケーブルの始端ノードを識別するためのノードＩＤ、ケーブルの終端ノードを識別するためのノードＩＤ、及びケーブルの長さを示すケーブル長の４要素が複数登録されている。符号２３０で示す図はケーブルネットワークデータを画面上にケーブルネットワークを表示した例を示すものであり、図中符号Ａ〜Ｅで示す○は接続設備が設置されている電柱・マンホール等のノードである。
【００２３】
芯線ネットワークデータ２２０は芯線ネットワークを識別するための芯線ネットワークＩＤを先頭に持ち、接続設備が設置されているノード間の個々の芯線を識別するための芯線ＩＤと、芯線ＩＤで示される芯線がどのケーブル内のものかを識別するためのケーブルＩＤと、芯線ＩＤで示される芯線の始端ノードを識別するためのノードＩＤ、芯線ＩＤで示される芯線の終端ノードを識別するためのノードＩＤ、及び芯線ＩＤで示される芯線の長さを示す芯線長の５要素が複数登録されている。
【００２４】
符号２４０で示す図はケーブルネットワーク２３０内の芯線ネットワークを図示した例であり、ケーブルネットワーク２３０内にはＡ〜Ｂ〜Ｃ〜Ｄの経路を持つ芯線ネットワークが２つ、Ａ〜Ｂ〜Ｃ〜Ｅの経路を持つ芯線ネットワークが１つあることを示している。
【００２５】
さて、上述したように光ネットワークは時々刻々、障害、事故、工事などで変わるものであり、一旦作成されたケーブルネットワークデータ、芯線ネットワークデータもすぐに現状に合わないものになる可能性がある。現状の光ネットワークの状態を監視しているのが光監視装置１１０であり、光監視装置１１０が生成する光監視結果１１１が現状の芯線の接続情報である。
【００２６】
図３は光監視装置１１０が作成する光監視結果１１１の内容例を示す図である。光監視結果１１１は図示するように、光監視結果を識別するための光監視結果ＩＤ３００を先頭に持ち、接続設備を識別するための複数の接続設備ＩＤ３１０の間に、接続設備間の芯線を識別する芯線ＩＤ３２０及び芯線ＩＤ３２０で示す芯線の長さを示す芯線長３３０が複数記録されている。
【００２７】
以下、図４、図５を用いて作成済みのケーブルネットワークデータ２１０、芯線ネットワークデータ２２０を現状の芯線接続情報である光監視結果１１１と比較して、誤入力、変更、障害等の問題箇所を検知するための処理を説明する。
【００２８】
本発明ではこれらを検知するために、まず、ケーブルネットワークデータ２１０と光監視結果１１１との対応付けを行う。
【００２９】
図４は光監視結果変換プログラム１２２３が行うケーブルネットワークデータ２１０と光監視結果１１１との対応付けの処理を説明するフローチャートである。
【００３０】
まず、光監視結果１１１内の最初の芯線の長さを取得し、ケーブルネットワークデータ２１０から同じ長さのケーブルを探す（Ｓ４０１）。同じ長さのケーブルが１本のみ見つかった場合（Ｓ４０２）にはＳ４０３に進む。Ｓ４０２の判定でＮｏであった場合にはＳ４０１で取得した最初の芯線がどのケーブルの長さとも同じでないかを判定する（Ｓ４０７）。どのケーブルとも長さが同じでない場合はＳ４１１に進み光監視結果の最初の芯線の位置を要調査箇所と認識する。Ｓ４０７でＮｏの場合、すなわち同じ長さのケーブルが複数見つかった場合には、Ｓ４０１で次の芯線の長さも考慮し、それぞれの芯線と同じ長さを持つ隣接するケーブルの組み合わせを探す（Ｓ４０８）。
【００３１】
例えば、図６に示す例では、ア〜イ間だけでは、３本のケーブルのケーブル長が同じになるが、比較ケーブルを増やすと、（ア〜イ〜エ〜ウ）、（ア〜イ〜エ〜オ）、（ア〜イ〜カ）のように、それぞれのケーブルデータの識別ができる可能性が高くなる。
【００３２】
Ｓ４０９に進みそのようなケーブルの組み合わせが１つだけ見つかった場合にはＳ４０３に進む。ケーブルの組み合わせを一意に確定できない場合には、全ての組み合わせを調べたかを判定し（Ｓ４１０）、まだ全ての組み合わせを調べ終わっていない場合にはＳ４０８に戻り次の芯線の長さも考慮して、芯線長の組み合わせと同じケーブル長の組み合わせを持つ、ケーブルの組み合わせを探す。Ｓ４１０ですべての芯線とケーブルの組み合わせを調べ終わっていた場合にはＳ４１１に進み光監視結果の最初の芯線の位置を要調査箇所と認識する。
【００３３】
Ｓ４０２又はＳ４０９で光監視結果１１１内の最初の芯線から１本または複数本の芯線をケーブルネットワークデータ２１０内のケーブルと対応付けできた場合にはＳ４０３で、光監視結果１１１内の次の芯線と同じ長さのケーブルをこれまでに対応付けたケーブルの終端に隣接するケーブルから探す。一般にケーブルの長さはどれも同じでないため、光監視結果１１１の出だしの芯線とケーブルとの対応がついた後は、この方法で長さを比較するだけで光監視結果１１１内の残りの芯線をケーブルネットワークデータ２１０内のケーブルに対応付けることができる。
【００３４】
Ｓ４０４に進み、次の芯線と同じ長さのケーブルが隣接するケーブルから見つからなかった場合には、Ｓ４１１に進み対応ケーブルが見つからなかった箇所を要調査箇所と認識する。Ｓ４１１で要調査箇所と認識された箇所はケーブルネットワークの変更があったと推定される箇所で、例えばケーブルが新設された、既存ケーブルが分断又は延長された、又は接続設備のある電柱・マンホール等が撤去又は移動されたなどの理由が考えられる。
【００３５】
Ｓ４０４で次の芯線と同じ長さのケーブルが隣接するケーブルから見つかった場合にはＳ４０５で光監視結果１１１内の芯線をすべてケーブルネットワークデータ２１０内のケーブルに対応付けできたかを判定し、まだ対応付けすべき芯線が残っている場合にはＳ４０３に戻り、次の芯線の対応付けを行い、すべての芯線の対応付けが終わった場合には対応付けた光監視結果データを芯線ネットワークデータ２２０の形式に変換し、自動生成芯線ネットワークデータとして一時データ格納部１２３３に格納する。
【００３６】
このようにして図４の処理でケーブルネットワークに要調査箇所が認識されなかった場合には光監視結果１１１を元にした自動生成芯線ネットワークデータが生成される。自動生成芯線ネットワークデータは現状の光ネットワークの監視結果を元にしているため、正確な芯線ネットワークデータであると推定できる。
【００３７】
次に図５を用いて、データ編集処理プログラム１２２１が行う、この自動生成芯線ネットワークデータと既存の芯線ネットワークデータ２２０を比較して芯線ネットワークにおける要調査箇所を認識する処理を説明する。
【００３８】
まず、Ｓ５０１で既存芯線ネットワークデータ２２０と自動生成芯線ネットワークデータを比較する。すなわち、それぞれのデータ内の芯線の本数、芯線のつながり(ノードＩＤを比較)、それぞれの芯線のケーブルＩＤ、芯線長等を比較し、同じ構成のデータがあるかを調べる。Ｓ５０２ですべての自動生成芯線ネットワークデータとすべての既存芯線ネットワークデータが対応づけできた場合には、要調査箇所なしとして処理を終える。Ｓ５０２で一致しないデータがあった場合には、一致しない芯線ネットワークを要調査箇所として認識し、処理を終える。
【００３９】
光監視結果１１１を元に生成された自動生成芯線ネットワークデータの方が現状を反映した正しいデータであると推測できるため、どの既存芯線ネットワークデータとも同じでない自動生成芯線ネットワークデータがあった場合には、それを自動的に芯線ネットワークデータ１２３２に正規データとして格納し、逆にどの自動生成芯線ネットワークデータとも同じでない既存芯線ネットワークデータがあった場合にはもう存在しないデータとして自動的に芯線ネットワークデータ１２３２から削除する処理を行ってもよい。
【００４０】
しかし、差異の補正作業は、差異が発生した原因によっても異なり、一時的なケーブル障害、データ入力不正などの場合もあるので原因確認後、手動で行う方が確実である。
【００４１】
以上の処理を行うことにより、光ネットワーク管理システムにおいてデータ変更が必要な箇所を短時間で洗い出し、データを補正することで、物理的な光ネットワークと光ネットワーク管理システムでのデータとの整合性を保つことができる。また、本実施の形態による処理により自動生成した芯線ネットワークデータを、そのまま芯線ネットワークデータとして採用することにより、光ネットワーク管理システムのデータの半自動生成を行うことができる。
【００４２】
従って、光ネットワークの管理状況が、短時間かつ正確に管理システムに反映することができ、管理コストの低減を図ることができるという利点がある。
【００４３】
尚、上記処理をコンピュータに実行させるためのプログラム又はプログラムを格納するコンピュータにより読みとり可能な記録媒体も、本発明の範疇に入ることは言うまでもない。
【産業上の利用可能性】
【００４４】
本発明は、芯線を含む光ケーブルの管理システムとして利用することができる。
【図面の簡単な説明】
【００４５】
【図１】本実施の形態による光ネットワーク管理装置と光監視装置とを含むシステム全体の概略図（（Ａ））と、光ネットワーク管理装置の詳細構成を示す図（（Ｂ））である。
【図２】光ネットワーク管理システムの管理データを例示した図である。
【図３】光監視結果の内容の例を示す図である。
【図４】ケーブルネットワークデータと光監視結果との対応付け処理の流れを示すフローチャート図である。
【図５】図４の処理で自動生成した芯線ネットワークデータと光ネットワーク管理システム内の既存の芯線ネットワークデータを比較し、芯線ネットワーク内の要調査箇所を認識する処理の流れを示すフローチャート図である。
【図６】より具体的なケーブルの配置例を示す図である。
【符号の説明】
【００４６】
Ａ    光ネットワーク管理システム
１００    光ネットワーク
１１０    光監視装置
１１１    光監視結果
１２０    光ネットワーク管理装置
１２１    処理部
１２２    ＲＯＭ
１２２０  データ入力処理プログラム
１２２１  データ編集処理プログラム
１２２２  データ表示処理プログラム
１２２３  光監視結果変換プログラム
１２３    記憶部
１２３１  ケーブルネットワークデータデータベース
１２３２  芯線ネットワークデータデータベース
１２３３  一時データ格納部
１２４    ディスプレイ
１２５    キーボード・マウス
２１０    ケーブルネットワークデータ構造
２２０    芯線ネットワークデータ構造
２３０    ケーブルネットワーク概念図
２４０    芯線ネットワーク概念図
３００    光監視結果ＩＤ
３１０    接続設備ＩＤ
３２０    芯線ＩＤ
３３０    芯線長
【図１】
2006287352.tif 000003
【図２】
2006287352.tif 000004
【図３】
2006287352.tif 000005
【図４】
2006287352.tif 000006
【図５】
2006287352.tif 000007
【図６】
2006287352.tif 000008